【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
ウォータークラフトのフィンプラグの装着に適合したフィンにおいて、
フィンプラグがウォータークラフトのフィンに在るベース部分を受け入れて挿入に適したフィンプラグ・キャビティを有しており、
このフィンは、フィンに在るベース部分の側面に対しておおむね平行に延在する弾性ロッドを設け、そして、
このフィンは、前記フィンプラグに装着された時に、突出部材が前記フィンプラグ・キャビティに突き出るようにこの突出部材を前記弾性ロッドの周りに設けておき、
フィンに在る前記ベース部分の挿入で前記弾性ロッドの弾性屈曲が起きて、前記突出部材が前記フィンプラグと係止すると共に、前記突出部材が前記弾性ロッドの長手軸の周りで回転し、前記フィンプラグ・キャビティの中にフィンに在る前記ベース部分を受け入れて離脱可能に保持することを特徴とするフィン。
【請求項２】
前記突出部材がリング状部材である請求項１に記載のフィン。
【請求項３】
前記リング状部材が２つの側面間に延在する外周面を有し、この外周面はこの２つの側面間で凸状形状を有する請求項２に記載のフィン。
【請求項４】
前記リング状部材が前記弾性ロッドの周りで回転する請求項２あるいは請求項３に記載のフィン。
【請求項５】
前記リング状部材の外周面がフィンに在る前記ベース部分の側面からはみ出して設けるように、前記弾性ロッドの長手軸が、フィンに在る前記ベース部分の中心に対してオフセットされて取り付けられている請求項２〜４のいずれか一項に記載のフィン。
【請求項６】
前記リング状部材の外側径がフィンに在る前記ベース部分の幅におおむね等しい請求項２〜５のいずれか一項に記載のフィン。
【請求項７】
前記フィンプラグ・キャビティ内に向けてあるいは横向きの少なくともいずれかの作用力を起こすように、且つ前記弾性ロッドの作用の下でフィンに在る前記ベース部分に作用するように、前記突出部材と共に連携し得る横凹部を、前記フィンプラグ・キャビティの側面に設けてあり、
この横凹部の構造によって、前記フィンプラグ・キャビティから前記フィンの離脱を防ぐ請求項１〜６のいずれか一項に記載のフィン。
【請求項８】
前記フィンプラグの側面にある前記横凹部が傾斜面部分を含む請求項７に記載のフィン。
【請求項９】
前記ベース部分の正面部分に、前記フィンプラグ・キャビティ内の少なくとも一つのトラックと係合するために構成した横ピンを設け、そして、バイアスの作用する前記弾性ロッドと突出部材とを、フィンに在る前記ベース部分の後方に設けた請求項１〜８のいずれか一項に記載のフィン。
【請求項１０】
前記少なくとも一つのトラックが前記フィンプラグ・キャビティの側壁の長手方向に延びている請求項９に記載のフィン。
【請求項１１】
前記フィンプラグ内の前記少なくとも一つのトラックが前記フィンプラグ・キャビティの側壁の横凹部を含み、前記横凹部が前記突出部材を受け入れるために作用する請求項９あるいは請求項１０に記載のフィン。
【請求項１２】
フィンに在る前記ベース部分の正面部分を前記フィンプラグ・キャビティの中で保持するために、前記フィンプラグ・キャビティに設けた突き出し部分を受け入れて係合する構造の凹部を、フィンに在る前記ベース部分の前記正面部分に有し、
バイアスの作用する前記弾性ロッドおよび前記突出部材を、フィンに在る前記ベース部分の後部に設けた請求項１〜８のいずれか一項に記載のフィン。
【請求項１３】
フィンに在る前記ベース部分の正面はフィンプラグ・キャビティの正面端面から延びた棚状部分と係止する作用に適用され、前記フィンプラグ・キャビティの後部と係止するために、バイアスの作用する前記弾性ロッドと突出部材はフィンベース部分の後部に設けた請求項１〜８のいずれか一項に記載のフィン。
【請求項１４】
前記突出部材を前記弾性ロッドのおおむね中間点に設けた請求項１〜１３のいずれか一項に記載のフィン。
【請求項１５】
前記弾性ロッドは前記フィン内に在る前記弾性ロッドのおおむね端部で支持され、前記弾性ロッドのおおむね中間で曲げを起こす請求項１〜１４のいずれか一項に記載のフィン。
【請求項１６】
前記弾性ロッドが長手部材である請求項１〜１５のいずれか一項に記載のフィン。
【請求項１７】
前記弾性ロッドの材料は、チタン、鋼材、ステンレス鋼、船舶用鋼、ファイバーグラス、カーボンファイバー、プラスチックや強化エンジニアリングプラスチックの少なくともいずれか１つである請求項１〜１６のいずれか一項に記載のフィン。
【請求項１８】
前記弾性ロッドと前記突出部材は、フィンに在るベース部分に組み込まれたカートリッジに含まれる請求項１〜１７のいずれか一項に記載のフィン。
【請求項１９】
前記突出部材の外側径は前記カートリッジの幅におおむね等しい請求項１８に記載のフィン。
【請求項２０】
前記突出部材の外周面が前記カートリッジの側面からはみ出して設けるように、前記弾性ロッドの長手軸は前記カートリッジの中心に対してオフセットしている請求項１８あるいは請求項１９に記載のフィン。
【請求項２１】
前記突出部材、横ピン、フィンに在る前記ベース部分の正面側凹部、前記フィンプラグ・キャビティ内の棚状部分、前記フィンプラグ・キャビティ内の横凹部、および、フィンプラグ・キャビティの長手方向トラックのうち少なくとも２つは互いに噛み合って結合される請求項１〜２０のいずれか一項に記載のフィン。
【請求項２２】
前記突出部材と前記弾性ロッドの曲げと前記フィンプラグの横凹部との連携作用によって、前記フィンと前記フィンプラグとは互いに噛み合って結合する請求項１〜２１のいずれか一項に記載のフィン。
【請求項２３】
フィンに在る前記ベース部分の底面、正面および後面のうちの少なくとも一つの面をフィンに在る前記ベース部分の対接面にして、そして、前記フィンプラグ・キャビティの後壁、正面壁および底壁のうち少なくとも一つの壁を前記フィンプラグの対接面にして、フィンに在る前記ベース部分の面とフィンプラグの面との対接による噛み合う結合動作を停止させる請求項１〜２２のいずれか一項に記載のフィン。
【請求項２４】
このウォータークラフトはロングボード、スタンドアップ式のパドルボード、大型のサーフクラフト、ショートボードのうち少なくとも一つである請求項１〜２３のいずれか一項に記載のフィン。
【請求項２５】
ウォータークラフトのフィンプラグの装着に適合したカートリッジにおいて、
フィンプラグがカートリッジを受け入れて挿入に適したフィンプラグ・キャビティを有しており、
このカートリッジは、突出部材と弾性ロッドを支持するカートリッジ本体、および、このカートリッジの側面に対しておおむね平行に延在する前記弾性ロッドを設け、そして、
このカートリッジは、前記フィンプラグに装着された時に、前記突出部材が前記フィンプラグ・キャビティに突き出るようにこの突出部材を前記弾性ロッドの周りに設けておき、
前記カートリッジの挿入で前記弾性ロッドの弾性屈曲が起きて、前記突出部材が前記フィンプラグと係止すると共に、前記突出部材が前記弾性ロッドの長手軸の周りで回転し、前記フィンプラグ・キャビティの中に前記カートリッジを受け入れて離脱可能に保持して、
前記フィンプラグ・キャビティ内に向けてあるいは横向きの少なくともいずれかの作用力を起こすように、且つ前記弾性ロッドの作用の下で前記カートリッジに作用するように、前記カートリッジの前記突出部材と共に連携し得る横凹部を、前記フィンプラグ・キャビティの側面に設けてあり、
この横凹部の構造によって、前記フィンプラグ・キャビティから離脱を防ぐことを特徴とするカートリッジ。
【手続補正２】
【補正対象書類名】明細書
【補正対象項目名】００４９
【補正方法】変更
【補正の内容】
【００４９】
【図１】図１Ａおよび図１Ｂは、実施例のフィンおよびフィンプラグ組立体の斜視図（展開図）である。図１Ｂでは、正接縁部を破線で示す。この実施態様は、本開示およびＷＯ２０１４/００８５２９開示と共通する。
【図２Ａ】実施例のセンターフィンおよびフィンプラグ組立体の測横断面図である。
【図２Ｂ】図２Ａのフィンおよびフィンプラグ組立体の斜視図である。
【図２Ｃ】図２Ａのフィンおよびフィンプラグ組立体の横断正面図である。
【図２Ｄ】図２Ａのフィンおよびフィンプラグ組立体の側面図である。
【図２Ｅ】図２Ａのフィンおよびフィンプラグ組立体の正面図である。
【図２Ｆ】図２Ａのフィンおよびフィンプラグ組立体の背面図である。
【図２Ｇ】図２Ａのフィンおよびフィンプラグ組立体の底面斜視図である。
【図２Ｈ】図２Ａのフィンおよびフィンプラグ組立体の上面図である。
【図２Ｉ】図２Ａのフィンおよびフィンプラグ組立体の底面図である。
【図３Ａ】フィンを装置に挿入した状態の、図２Ａのフィンおよびフィンプラグ組立体の測横断面図である。
【図３Ｂ】図３Ａのフィンおよびフィンプラグ組立体の上面斜視図である。
【図３Ｃ】図３Ａのフィンおよびフィンプラグ組立体の正面横断面図である。
【図４Ａ】実施例の右側におけるフィンおよびフィンプラグ組立体の測横断面図である。
【図４Ｂ】図４Ａのフィンおよびフィンプラグ組立体の背面図である。
【図４Ｃ】Ｃ−Ｃ線に沿って見た図４Ａのフィンおよびフィンプラグ組立体の横断面正面図である。
【図４Ｄ】図４Ａのフィンおよびフィンプラグ組立体の側面図である。
【図４Ｅ】図４Ａのフィンおよびフィンプラグ組立体の底面斜視図である。
【図４Ｆ】装置によってフィンが受け入れられた状態にある、図４Ａのフィンおよびフィンプラグ組立体の横断側面図である。
【図４Ｇ】図４Ｆのフィンおよびフィンプラグ組立体の上面斜視図である。
【図５Ａ】フィンおよびフィンプラグ組立体の実施例の左側を示す側横断面図である。
【図５Ｂ】図５Ａのフィンおよびフィンプラグ組立体の背面図である。
【図５Ｃ】図５Ａのフィンおよびフィンプラグ組立体の横断正面図である。
【図５Ｄ】図５Ａのフィンおよびフィンプラグ組立体の側面図である。
【図５Ｅ】図５Ａのフィンおよびフィンプラグ組立体の底面斜視図である。
【図５Ｆ】装置によってフィンが受け入れられた状態にある、図５Ａのフィンおよびフィンプラグ組立体の横断側面図である。
【図５Ｇ】図５Ｆのフィンおよびフィンプラグ組立体の上面斜視図である。
【図６Ａ】実施例の装置またはフィンプラグの上面斜視図である。
【図６Ｂ】図６Ａの装置またはフィンプラグの別な上面斜視図である。
【図６Ｃ】図６Ａの装置またはフィンプラグの底面斜視図である。
【図６Ｄ】図６Ａの装置またはフィンプラグの別な底面斜視図である。
【図６Ｅ】図６Ａの装置またはフィンプラグの上面正面図である。
【図６Ｆ】図６Ａの装置またはフィンプラグの底面正面図である。
【図６Ｇ】図６Ａの装置またはフィンプラグの側面正面図である。
【図６Ｈ】図６Ａの装置またはフィンプラグの別な側面正面図である。
【図６Ｉ】図６Ａの装置またはフィンプラグの背端面正面図である。
【図６Ｊ】図６Ａの装置またはフィンプラグの正面端面図である。
【図６Ｋ】断面線Ａ−Ａに沿って見た、図６Ｈの装置またはフィンプラグの横断面図である。
【図６Ｌ】断面線Ｂ−Ｂに沿って見た、図６Ｉの装置またはフィンプラグの横断面図である。
【図６Ｍ】断面線Ｃ−Ｃに沿って見た、図６Jの装置またはフィンプラグの横断面図である。
【図６Ｎ】キャップ６０を取り外した状態の、図６Ａの装置またはフィンプラグの上面斜視図である。
【図６Ｏ】図６Ａの装置またはフィンプラグの展開図である。
【図６Ｐ】図６Ａの装置またはフィンプラグの別な展開図である。
【図７Ａ】実施例の右側装置またはフィンプラグの上面斜視図である。
【図７Ｂ】図７Ａの装置またはフィンプラグの正面横断面図である。
【図７Ｃ】図７Ａの装置またはフィンプラグの上面横断面図である。
【図７Ｄ】図７Ａの装置またはフィンプラグの側面横断面図である。
【図８Ａ】実施例の左側装置またはフィンプラグの上面斜視図である。
【図８Ｂ】図８Ａの装置またはフィンプラグの正面横断面図である。
【図８Ｃ】図８Ａの装置またはフィンプラグの上面横断面図である。
【図８Ｄ】図８Ａの装置またはフィンプラグの側面横断面図である。
【図９Ａ】本明細書に記載する装置またはフィンプラグに使用できる実施例のフィンの側面図である。
【図９Ｂ】図９Ａのフィンの上面斜視図である。
【図９Ｃ】図９Ａのフィンの底面斜視図である。
【図９Ｄ】図９Ａのフィンの正面図である。
【図９Ｅ】図９Ａのフィンの背面図である。
【図９Ｆ】図９Ａのフィンの横断面図である。
【図９Ｇ】図９Ａのフィンの上面図である。
【図９Ｈ】図９Ａのフィンの底面図である。
【図１０Ａ】本明細書に記載する装置またはフィンプラグに使用できる実施例の右側フィンの側面図である。
【図１０Ｂ】図１０Ａのフィンの横断面図である。
【図１０Ｃ】図１０Ａのフィンの背面図である。
【図１０Ｄ】図１０Ａのフィンの上面斜視図である。
【図１１Ａ】本明細書に記載する装置またはフィンプラグに使用できる実施例の左側フィンの側面図である。
【図１Ｂ】１１Ａのフィンの横断面図である。
【図１１Ｃ】図１１Ａのフィンの背面図である。
【図１１Ｄ】図１１Ａのフィンの上面斜視図である
【図１２Ａ−１５Ｄ】図１２Ａ−図１５Ｄは固定機構をフィンベース部分に組み込んだ別な機構を示す図である。  図１２Ａ−図１２Ｃは、フィンベース部分または他の装置に嵌合できる固定機構要素を利用したカートリッジの構成または組立構成を示す一連の図である。
【図１３Ａ−１３Ｄ】図１３Ａ−図１３Ｄはフィンのベース部分に装着した状態のカートリッジを示す一連の図である。
【図１４Ａ−１４Ｅ】図１４Ａ−図１４Ｅはカートリッジを利用したフィンを示す直交図および正面断面図である。
【図１５Ａ−１５Ｃ】図１５Ａ−図１５Ｃはウォータークラフトに装着した状態のフィンを示す図である。
【図１５Ｄ】フィンベース内の固定機構の、中心からずれた位置、およびフィンプラグとの係合を示す断面図である。
【図１６Ａ−１６Ｃ】図１６Ａ−図１６Ｃは弾性バイアス作用ロッドおよび突出部材を直接装着したフィンの構成および組立構成を示す一連の図である。